(57)【要約】【課題】コシの弱い用紙や幅の狭い用紙の先端が排紙トレイ（収納部）に収納される前に垂れ下がってしまうのを防止すると共に、所定の量の用紙を収納可能とすることを課題とする。【解決手段】  薄紙等のコシの弱い用紙Ｐを排紙する際に、載置部４０に排紙台５０を取り付けることで、排紙口４４から排紙された用紙Ｐは、排紙台５０の排紙受部５２で受けられ、排紙受部５２の排紙受面５２Ａに形成された傾斜に沿って、収納部５４に滑り落ちて収納される。これにより、排紙口４４から排紙される用紙Ｐの先端が着地する位置の段差が小さくなり、用紙Ｐは先端が垂れ下がることなく排紙台５０の排紙受部５２で受けられるので、用紙Ｐの先端を内側に巻き込んだ状態で用紙Ｐを排紙してしまうことがない。【選択図】    図２
2007031009.tif 000002
【特許請求の範囲】
【請求項１】
画像形成装置の排紙口から排紙された記録媒体が載置される排紙台であって、
記録媒体の排紙方向と直交する方向に傾斜して、前記排紙口から排紙された記録媒体を受ける排紙受面と、
前記排紙受面の傾斜方向に設けられ、該排紙受面で受けた記録媒体が滑り落ちる収納部と、
を備えたことを特徴とする排紙台。
【請求項２】
前記排紙受面は、前記排紙口側の傾斜角度が、先端部の傾斜角度より大きくなるように該排紙口側へ傾斜していることを特徴とする請求項１に記載の排紙台。
【請求項３】
前記収納部は、排紙方向と直交する方向の大きさが変位可能とされていることを特徴とする請求項１又は請求項２に記載の排紙台。
【請求項４】
前記収納部の底面は、記録媒体の排紙方向と直交する方向且つ前記排紙受面と同じ方向に傾斜していることを特徴とする請求項１〜請求項３のいずれか１項に記載の排紙台。
【請求項５】
排紙方向と直交する方向から前記排紙受面に沿ってエアーを吹き出すエアー吹き付け装置が設けられていることを特徴とする請求項１〜請求項４のいずれか１項に記載の排紙台。
【請求項６】
前記排紙受面には、複数の球状の凸部が設けられていることを特徴とする請求項１〜請求項５のいずれか１項に記載の排紙台。
【請求項７】
前記排紙受面の角部には、前記収納部側に張り出す張出部が設けられていることを特徴とする請求項１〜請求項６のいずれか１項に記載の排紙台。
【請求項８】
画像が記録された記録媒体が排紙される排紙口と、
記録媒体の排紙方向と直交する方向に傾斜して、前記排紙口から排紙された記録媒体を受ける排紙受面と、前記排紙受面の傾斜方向に設けられ、該排紙受面で受けた記録媒体が滑り落ちる収納部と、を備えた排紙台と、
を有することを特徴とする排紙装置。
【請求項９】
前記排紙口には、記録媒体の排紙方向の後端を前記排紙受面に向かって蹴り出す蹴り出し手段が設けられていることを特徴とする請求項８に記載の排紙装置。
【請求項１０】
請求項８又は請求項９に記載の排紙装置を備えたことを特徴とする画像形成装置。
【発明の詳細な説明】
【技術分野】
【０００１】
本発明は、排紙台と、この排紙台が搭載される排紙装置及び、この排紙装置を備えた画像形成装置に関する。
【背景技術】
【０００２】
従来から、プリンタやファックス等の画像記録装置には、画像記録装置本体から排紙された記録済みの用紙を積層する排紙トレイが設けられている。通常、この排紙トレイは、排紙されてきた用紙を多量に収納するために、用紙が排紙される排紙口よりも下方に位置するように取り付けられている。つまり、排紙口と排紙トレイとの間に段差が設けられた状態となっており、多量の用紙が排紙されても、積層された用紙によって排紙口が塞がれない構造とされている。
【０００３】
このような構成において、例えば、図１１に示すように、薄紙や短冊状のようなコシの弱い用紙Ｐを排紙トレイ１０２に排紙すると、用紙Ｐの先端が排紙トレイ１０２に着地する前の段階で垂れ下がり、先端を内側に巻き込んだ状態で用紙Ｐが排紙されてしまう（ロールスタック）。
【０００４】
そこで、コシの弱い用紙を排紙する際に、排紙トレイを上方向に移動させ、排紙口と排紙トレイとの間の段差をなくすことで、用紙のロールスタックを防止するものがある（特許文献１参照）。
【０００５】
しかし、排紙口と排紙トレイとの間の段差をなくしたり、段差を小さくした場合、積層された用紙によって排紙口が塞がれてしまい、用紙の収納枚数が限られてしまう。
【特許文献１】特開平１０−２６１５５号公報
【発明の開示】
【発明が解決しようとする課題】
【０００６】
本発明は、コシの弱い用紙や幅の狭い用紙の先端が排紙トレイ（収納部）に収納される前に垂れ下がってしまうのを防止すると共に、所定の量の用紙を収納可能とすることを課題とする。
【課題を解決するための手段】
【０００７】
請求項１に記載の本発明の排紙台は、画像形成装置の排紙口から排紙された記録媒体が載置される排紙台であって、記録媒体の排紙方向と直交する方向に傾斜して、前記排紙口から排紙された記録媒体を受ける排紙受面と、前記排紙受面の傾斜方向に設けられ、該排紙受面で受けた記録媒体が滑り落ちる収納部と、を備えたことを特徴としている。
【０００８】
請求項１に記載の排紙台によれば、画像形成装置の排紙口から排紙された記録媒体を受ける排紙受面は傾斜しており、排紙受面で受けた記録媒体は、排紙受面の傾斜方向に設けられた収納部に滑り落ちる。
【０００９】
例えば薄紙のようにコシの弱い記録媒体を排紙するときに、このような構成の排紙台を画像形成装置に設置して、排紙口と排紙受面の段差を小さくしておくことで、記録媒体は先端が垂れ下がることなく排紙台の排紙受面で受けられるので、記録媒体の先端を内側に巻き込んだ状態で記録媒体を排紙してしまうことがない。
【００１０】
また、排紙受面で受けた記録媒体は、排紙受面の傾斜に沿って排紙受面を滑り落ち収納部に収納されるようになっているため、排紙受面に積載されて画像形成装置の排紙口を塞いでしまうことがなく、収納部には所定量の記録媒体が収納される。
【００１１】
さらに、排紙台は画像形成装置の排紙口から排紙された記録媒体が載置される載置部の上に着脱可能に取り付けてもよい。これにより、コシのある記録媒体を排紙するときは、排紙台を載置部から取り外して、載置部に記録媒体を排紙することができる。
【００１２】
請求項２に記載の本発明の排紙台は、前記排紙受面は、前記排紙口側の傾斜角度が、先端部の傾斜角度より大きくなるように該排紙口側へ傾斜していることを特徴としている。
【００１３】
請求項２に記載の排紙台によれば、排紙口側の傾斜角度が先端部より大きくなるように排紙受面を傾斜させることで、排紙口から排紙された記録媒体は、排紙受面の傾斜に沿って排紙口側から滑り落ちる。したがって、記録媒体は排紙口の立壁にぶつかり、収納部の常に同じ位置に収納される。
【００１４】
請求項３に記載の本発明の排紙台は、前記収納部は、排紙方向と直交する方向の大きさが変位可能とされていることを特徴としている。
【００１５】
請求項３に記載の排紙台によれば、記録媒体の幅（排紙方向と直交する方向の大きさ）に合わせて、収納部の排紙方向と直交する方向の大きさが変位可能とされている。これにより、記録媒体が幅の狭い短冊状の場合に、収納部の幅方向の大きさを記録媒体の幅に合わせて狭くすることで、収納部に多量の記録媒体を収納（積載）しても、記録媒体が幅方向に崩れてしまうことがない。また、記録媒体の幅のサイズよりも収納部の幅方向のサイズを若干広くすれば、記録媒体の収納部の収まりをよくすることもできる。
【００１６】
請求項４に記載の本発明の排紙台は、前記収納部の底面は、記録媒体の排紙方向と直交する方向且つ前記排紙受面と同じ方向に傾斜していることを特徴としている。
【００１７】
請求項４に記載の排紙台によれば、収納部の底面を、記録媒体の排紙方向と直交する方向且つ前記排紙受面と同じ方向に傾斜させることで、排紙受面から滑り落ちた記録媒体が、滑り落ちたときの姿勢で収納部に収納されるため、収納部内で、記録媒体が裏返る恐れがない。
【００１８】
請求項５に記載の本発明の排紙台は、排紙方向と直交する方向から前記排紙受面に沿ってエアーを吹き出すエアー吹き付け装置が設けられていることを特徴としている。
【００１９】
請求項５に記載の排紙台によれば、エアー吹き付け装置によって、排紙受面に沿ってエアーを吹き出す。これにより、記録媒体が排紙受面から受ける摩擦抵抗が小さくなり、スムーズに傾斜に沿って滑り落ちる。したがって、排紙口から排紙された用紙Ｐが排紙受面に残留してしまうことなく、収納部へ確実に収納される。
【００２０】
請求項６に記載の本発明の排紙台は、前記排紙受面には、複数の球状の凸部が設けられていることを特徴としている。
【００２１】
請求項６に記載の排紙台によれば、排紙受面に設けられた複数の球状の凸部によって、排紙受面で受けた記録媒体は、排紙受面と面接触することなく、凸部の頂点で点接触する。これにより、記録媒体は排紙受面の傾斜に沿ってスムーズに滑り落ちて、収納部に確実に収納される。
【００２２】
請求項７に記載の本発明の排紙台は、前記排紙受面の角部には、前記収納部側に張り出す張出部が設けられていることを特徴としている。
【００２３】
請求項７に記載の排紙台によれば、排紙受面の角部に設けられた張出部によって、排紙受面で受けた記録媒体は、排紙受面に対向した壁部に向かって案内されるので、収納部内で記録媒体が裏返る恐れがない。
【００２４】
請求項８に記載の本発明の排紙装置は、画像が記録された記録媒体が排紙される排紙口と、記録媒体の排紙方向と直交する方向に傾斜して、前記排紙口から排紙された記録媒体を受ける排紙受面と、前記排紙受面の傾斜方向に設けられ、該排紙受面で受けた記録媒体が滑り落ちる収納部と、を備えた排紙台と、を有することを特徴としている。
【００２５】
請求項８に記載の排紙装置によれば、載置部に着脱可能に取り付けられる排紙台は、画像形成装置の排紙口から排紙された記録媒体を受ける排紙受面を有しており、この排紙受面には傾斜が設けられている。そして、排紙受面で受けた記録媒体は、排紙受面の傾斜方向に設けられた収納部に滑り落ちるようになっている。
【００２６】
例えば薄紙のようにコシの弱い記録媒体を排紙するときに、このような構成の排紙台を画像形成装置に設置して、排紙口と排紙受面の段差を小さくしておくことで、記録媒体は先端が垂れ下がることなく排紙台の排紙受面で受けられるので、記録媒体の先端を内側に巻き込んだ状態で記録媒体を排紙してしまうことがない。
【００２７】
また、排紙台の排紙受面で受けられた記録媒体は、排紙受面の傾斜に沿って排紙受面を滑り落ち収納部に収納されるようになっているため、排紙受面に積載されて画像形成装置の排紙口を塞いでしまうことがない。
【００２８】
さらに、排紙台は画像形成装置の排紙口から排紙された記録媒体が載置される載置部の上に着脱可能に取り付けてもよい。これにより、コシのある記録媒体を排紙するときは、載置部から排紙台を取り外して、載置部に記録媒体を排紙することができる。
【００２９】
請求項９に記載の本発明の排紙装置は、前記排紙口には、記録媒体の排紙方向の後端を前記排紙受面に向かって蹴り出す蹴り出し手段が設けられていることを特徴としている。
【００３０】
請求項９に記載の排紙装置によれば、排紙口に設けられた蹴り出し手段によって、記録媒体は排紙口から排紙される際に、後端が排紙受面に向かって蹴り出される。このように、記録媒体の後端を傾斜方向に蹴り出すことで、記録媒体を後端から滑り落ちやすくすることができる。
【００３１】
請求項１０に記載の本発明の画像形成装置は、請求項８〜請求項１０のいずれか１項に記載の排紙装置を備えたことを特徴としている。
【００３２】
請求項１０に記載の画像形成装置によれば、例えば薄紙のようにコシの弱い記録媒体を排紙口から排紙したときに、記録媒体の先端が垂れ下がることなく排紙受面で受けられるので、記録媒体の先端を内側に巻き込んだ状態で記録媒体を排紙してしまうことがない。
【発明の効果】
【００３３】
本発明は上記構成としたので、コシの弱い用紙や幅の狭い用紙の先端が排紙トレイ（収納部）に収納される前に垂れ下がってしまうのを防止すると共に、所定の量の用紙を収納できる。
【発明を実施するための最良の形態】
【００３４】
図１には、本発明の第１の実施形態に係る排紙台５０を備えた画像形成装置１０の概略構成図が示されている。
【００３５】
（画像形成装置の概要）
画像形成装置１０には光走査装置１２が配設されており、光走査装置１２の上方には感光体ドラム１４が配置されている。感光体ドラム１４の周囲には、帯電装置１６、ロータリー現像装置１８、中間転写体２０が設置されている。
【００３６】
ロータリー現像装置１８には、イエロー、マゼンタ、シアン、ブラックの各色の現像器２２が設けられている。このロータリー現像装置１８が９０度ずつ回転することで、現像処理を行う現像器２２が切り替えられるようになっている。
【００３７】
中間転写体２０は、駆動ローラ２４と従動ローラ２６、及び、無端状の転写ベルト２８で構成されている。転写ベルト２８は、駆動ローラ２４と従動ローラ２６に懸架されており、感光体ドラム１４に接触している。これにより、転写ベルト２８は、駆動ローラ２４の駆動によって矢印Ａ方向に周回するようになっている。
【００３８】
画像形成装置１０の底部には、用紙が収納された用紙カセット３０が設けられている。用紙カセット３０に収納された用紙は、用紙カセット３０の用紙搬送方向下流側に設けられたフィードロール３６によって搬送経路Ｍに送り出され、搬送ロール３８で搬送経路Ｍに沿って搬送される。
【００３９】
一方、感光体ドラム１４は、矢印Ｂ方向に回転しながら、帯電装置１６によって一様に帯電される。そして、光走査装置１２からのレーザ光Ｌによって、画像データに基づいた潜像が形成される。感光体ドラム１４に形成された潜像は、ロータリー現像装置１８の現像器２２によって現像され、中間転写体２０の転写ベルト２８に転写される。
【００４０】
従動ローラ２６の搬送経路Ｍを挟んで対向する位置には転写ローラ３２が設置されている。この転写ローラ３２によって、用紙カセット３０から搬送経路Ｍに沿って搬送されてきた用紙に、転写ベルト２８に転写された画像が転写される。そして、転写ローラ３２の搬送方向下流側に設けられた定着装置３４へ送られて、加熱ロール３４Ａと加圧ロール３４Ｂに加熱加圧されることで、画像が用紙に定着する。
【００４１】
一方、画像形成装置１０の上面には載置部４０が形成されている。この載置部４０は、用紙Ｐの排紙方向の一端部から他端部へ向かって除々に高くなるような傾斜面を形成している。画像形成装置１０には、載置部４０における最も低い一端部から上方に立ち上がる壁部４２が形成され、この壁部４２には、画像形成装置１０の内部に通じた排紙口４４が開口している。
【００４２】
トナー像が定着した用紙Ｐは、排紙口４４近傍に配設された排紙ローラ４６によって排紙口４４から画像形成装置１０外部に排紙され、載置部４０上の排紙台５０（詳細は後述する）に積載されるようになっている。
（排紙台）
ここで、排紙台５０について説明する。
【００４３】
図２に示すように、排紙台５０は、載置部４０の傾斜面４０Ａ（図１参照）に沿って載置されるベース５１と、ベース５１の一端部から立設され、短冊状の用紙Ｐ（例えば、２９４×８０ｃｍの現品票用紙など）が載置可能なサイズの、長方形状の排紙受面５２Ａを有する略直方体状の排紙受部５２を備えている。
【００４４】
排紙受面５２Ａには、排紙台５０の幅方向（用紙Ｐの排紙方向と直交する方向）に沿って傾斜が形成されている。また、この排紙受面５２Ａは、排紙口４４側の傾斜角度が、排紙方向下流側の傾斜角度よりも大きくなるように、排紙口４４側へ傾斜している。つまり、排紙方向上流側から排紙方向下流側にかけて、傾斜角度が除変されている。これにより、図３（Ａ）〜（Ｃ）に示すように、排紙口４４（図１及び図２参照）から排紙されて排紙受部５２で受けられた用紙Ｐは、排紙受面５２Ａの傾斜に沿って排紙方向の後端から先に滑り落ちるようになっている。
【００４５】
ベース５１の他端部からは壁部５５が立設され、壁部５５と排紙受部５２の間が、用紙Ｐが収納可能な収納部５４とされている。これにより、図４に示すように、排紙受部５２から排紙受面５２Ａの傾斜に沿って滑り落ちた用紙Ｐが、収納部５４に収納されるようになっている。
【００４６】
排紙台５０の裏面には、図１及び図３に示すように、用紙Ｐの排紙方向と直交する方向に沿って、両端部に脚部５８が設けられている。この脚部５８によって、載置部４０に対して排紙台５０が２箇所で支持されている。このため、載置部４０の傾斜面４０Ａが曲面とされていても、排紙台５０の裏面を載置部４０の曲面に合わせて曲面にする必要がないので、排紙台５０の形状が複雑とならない。
【００４７】
次に、本発明の第１の実施形態の作用について説明する。
【００４８】
薄紙等のコシの弱い用紙Ｐを排紙する際には、図２に示すように、載置部４０に排紙台５０を取り付ける。そして、排紙口４４から排紙された用紙Ｐは、排紙台５０の排紙受部５２で受けられ、排紙受部５２の排紙受面５２Ａに形成された傾斜に沿って、収納部５４に後端から滑り落ちて収納される。
【００４９】
このように、排紙口４４と排紙口４４から排紙される用紙Ｐの先端が着地する位置の段差を小さくしておくことで、用紙Ｐは先端が垂れ下がることなく排紙台５０の排紙受部５２で受けられるので、用紙Ｐの先端を内側に巻き込んだ状態で用紙Ｐを排紙することがない。
【００５０】
また、排紙受部５２で受けた用紙Ｐは、排紙受面５２Ａに形成された傾斜に沿って滑り落ちて収納部５４に収納されるようになっているため、排紙受部５２上に積載されて排紙口４４を塞ぐことがなく、収納部５４には所定量の用紙Ｐが収納される。
【００５１】
さらに、排紙受部５２の排紙受面５２Ａに形成された傾斜の角度を、排紙口４４側の方が排紙方向の先端側よりも大きくなるように、排紙口４４側へ傾けることで、排紙口４４から排紙された用紙Ｐは、排紙受面５２Ａの傾斜に沿って後端（排紙口４４側）から滑り落ちる。したがって、用紙Ｐは排紙口４４が設けられている壁面４２Ａにぶつかるので、収納部５４の同じ位置に収納される。
【００５２】
次に、本発明の第２の実施形態に係る排紙台６０について説明する。なお、第１の実施形態と同様の部分についての説明は割愛する。
【００５３】
図５に示すように、ベース５１の表面には、用紙Ｐの排紙方向と直交する方向に沿って複数のガイド溝６１が形成されている。このガイド溝６１には、ベース５１の他端部に配設された壁部６２の下面に設けられた図示しない係合部が係合されてスライド可能となっている。これにより、壁部６２を用紙Ｐの排紙方向と直交する方向に沿ってスライドさせることで、壁部６２と排紙受部５２で構成される収納部６３の幅のサイズが調整される。
【００５４】
したがって、用紙Ｐが幅の狭い短冊状の場合には、収納部６３の幅方向のサイズを、この用紙Ｐの幅に合わせて狭くすることで、収納部６３に多量の用紙Ｐを収納（積載）しても、用紙Ｐが幅方向に崩れてしまうことがない。また、用紙Ｐの幅よりも収納部６３の幅方向の大きさを若干広くすることで、収納部６３内に収納された用紙Ｐの収まりがよくなる。
【００５５】
次に、本発明の第３の実施形態に係る排紙台６４について説明する。なお、第１の実施形態と同様の部分についての説明は割愛する。
【００５６】
図６に示すように、ベース５１上に立設された排紙受部５２と壁部５５の間の収納部６６の載置面６６Ａは、用紙Ｐの排紙方向と直交する方向、且つ、排紙受面５２Ａの傾斜方向と同じ方向に傾斜している。つまり、載置面６６Ａは、用紙Ｐの排紙方向と直交する方向に沿って、排紙受部５２側が高く壁部５５側が低くなるように傾斜している。
【００５７】
これにより、排紙受部５２から滑り落ちた用紙Ｐが、滑り落ちたときの姿勢で収納部６６に収納されるため、収納部６６に用紙Ｐが裏返された状態で収納される恐れがない。
【００５８】
次に、本発明の第４の実施形態に係る排紙台６８について説明する。なお、第１の実施形態と同様の部分についての説明は割愛する。
【００５９】
図７に示すように、排紙受部５２の外側には、用紙Ｐの排紙方向に沿って、長方形状の吹出口７２を有するダクト７４が設けられている。ダクト７４には図示しないブロワーが配置されており、ブロワーによって吸入口７３からダクト７４内に取り込まれたエアーが、吹出口７２から排紙受部５２の排紙受面５２Ａに沿って吹き出されるようになっている。
【００６０】
これにより、排紙口４４（図１参照）から排紙されて排紙受部５２で受けられた用紙Ｐの下面に空気が入り込み、用紙Ｐが排紙受面５２Ａから受ける摩擦抵抗が小さくなって、収納部５４側に向かってスムーズに滑り落ちる。したがって、排紙受面５２Ａに用紙Ｐが残留してしまうことなく、収納部５４へ確実に収納される。
【００６１】
次に、本発明の第５の実施形態に係る排紙台７６について説明する。なお、第１の実施形態と同様の部分についての説明は割愛する。
【００６２】
図８に示すように、排紙受部５２の排紙受面５２Ａには、複数の球状の凸部８０が一体に設けられている。これにより、排紙受部５２で受けられた用紙Ｐは、凸部８０の頂点で点接触するので、用紙Ｐは排紙受面５２Ａの傾斜に沿ってスムーズに滑り落ちて、収納部５４に確実に収納される。
【００６３】
なお、本実施形態では、凸部８０を排紙受面５２Ａに一体に設ける構成としたが、排紙受面５２Ａに複数の球状の凹部を形成し、この凹部にそれぞれコロを嵌め込む構成としてもよい。これにより、排紙受部５２で受けられた用紙Ｐは、コロの回転によって排紙受面５２Ａをスムーズに滑り落ちる。
【００６４】
次に、本発明の第６の実施形態に係る排紙台８２について説明する。なお、第１の実施形態と同様の部分についての説明は割愛する。
【００６５】
図９に示すように、排紙受部５２の排紙受面５２Ａの角部には、張出部５２Ｃが設けられている。張出部５２Ｃは、収納部５４の一部を覆うように張り出している。
【００６６】
これにより、排紙受部５２で受けた用紙Ｐは、張出部５２Ｃによって壁部５４Ｂに向かって案内されながら滑り落ちて、壁部５５に当接するため、収納部５４内で用紙Ｐが裏返る恐れがない。
【００６７】
次に、本発明の第７の実施形態に係る排紙装置９０について説明する。なお、第１の実施形態と同様の部分についての説明は割愛する。
【００６８】
図１０に示すように、排紙ローラ９２は、画像形成装置１０の側板に回転可能に支持された駆動シャフト９５と、駆動シャフト９５に設けられたローラ９６とから構成されており、排紙台５０の排紙受部５２へ用紙Ｐを排紙する。ローラ９６には、排紙受部５２の傾斜方向側に、ローラ９６より大径の円板９７が設けられている。
【００６９】
この円板９７によって、排紙口４４（図１参照）から排紙される用紙Ｐは、後端部が排紙される際に蹴り出される。このとき、円板９７は、載置部の傾斜方向下流側の端部に設けられているため、用紙Ｐの後端は、傾斜方向側が排紙方向に蹴り出される。これにより、用紙Ｐは後端から滑り落ちて確実に収納部へ収納される。
【図面の簡単な説明】
【００７０】
【図１】本発明の第１の実施形態に係る排紙台を備えた画像形成装置の概略構成図である。
【図２】本発明の第１の実施形態に係る排紙台を備えた画像形成装置の斜視図である。
【図３】本発明の第１の実施形態に係る排紙台を示す斜視図である。
【図４】本発明の第１の実施形態に掛る排紙台を備えた画像形成装置を、排紙方向側から見た状態を示す側面図である。
【図５】本発明の第２の実施形態に係る排紙台の斜視図である。
【図６】本発明の第３の実施形態に係る排紙台の斜視図である。
【図７】本発明の第４の実施形態に係る排紙台の斜視図である。
【図８】本発明の第５の実施形態に係る排紙台の斜視図である。
【図９】本発明の第６の実施形態に係る排紙台の斜視図である。
【図１０】本発明の第７の実施形態に係る排紙台の斜視図である。
【図１１】従来の載置部を側面方向から見た断面図である。
【符号の説明】
【００７１】
１０  画像形成装置
４０  載置部
４４  排紙口
５０  排紙台
５２  排紙受部（排紙受面）
５４  収納部
６０  排紙台
６３  収納部
６４  排紙台
６６  収納部
６８  排紙台
７０  エアー吹き付け装置
７６  排紙台
８０  凸部
８２  排紙台
９０  排紙装置
９２  排紙ローラ
９７  円板（蹴り出し手段、突起部）
【図１】
2007031009.tif 000003
【図２】
2007031009.tif 000004
【図３】
2007031009.tif 000005
【図４】
2007031009.tif 000006
【図５】
2007031009.tif 000007
【図６】
2007031009.tif 000008
【図７】
2007031009.tif 000009
【図８】
2007031009.tif 000010
【図９】
2007031009.tif 000011
【図１０】
2007031009.tif 000012
【図１１】
2007031009.tif 000013